(57)【要約】【課題】記録感度補正方法を提供することを目的とする。【解決手段】ユーザーデータ記録領域内の記録済みファイルと追記するファイルの間に、複数のエラー定性ブロックから構成した記録レーザーパワー補正領域を設け、この領域で試し書きを実行し、その再生結果から追記ファイルの最適記録レーザーパワーを設定することで、記録感度が近い追記ファイル直前で記録レーザーパワー補正を実行できる記録レーザーパワーの補正手段を提供する。更には、内周ＰＣＡのテストトラックを使い切っても、特性の悪い外周ＰＣＡを使わずに、記録レーザーパワー補正を実行できる光ディスクシステムを提供する。【選択図】図３
2006040328.tif 000002
【特許請求の範囲】
【請求項１】
試し書きによって光ディスクへの適正な記録レーザーパワーを設定する光ディスクシステムにおいて、前記光ディスクは管理領域とユーザーデータ領域を備え、前記ユーザーデータ領域は複数のファイルの記録が可能であって、前記ユーザーデータ領域内で、複数のファイルが記録される時に、前記ユーザーデータ領域内で前記複数のファイルをつなぎ込むためのリンキングを行う際、第（Ｎ―１）番目の記録済みファイルと追記を行う第（Ｎ）番目のファイルとの間に、複数のエラー訂正ブロックから構成されたダミー領域を設け、前記ダミー領域において第（Ｎ）番目のファイルを追記するための記録レーザーパワーを設定するのための試し書きを実行し、その結果に基づいて適正な記録レーザーパワーを設定し、前記第（Ｎ）番目の追記ファイルの記録を実行することを特徴とする光ディスクシステム。
【請求項２】
管理領域とユーザーデータ領域を備えた光ディスクにおいて、前記ユーザーデータ領域は複数のファイルの記録が可能であって、第（Ｎ―１）番目の記録済みファイルの後ろであって、追記する第（Ｎ）番目のファイルの直前位置に、適正な記録レーザーパワーを設定するための試し書きを行うダミー領域を設けことを特徴とする光ディスク。
【請求項３】
請求項１記載の光ディスクシステムにおいて、前記ダミー領域は、リンキングセクターを含む複数のエラー訂正ブロック単位で構成されており、試し書きを実行後、ダミー領域の最終エラー訂正ブロックをリンキング処理のエラー訂正ブロックとして設けたことを特徴とする光ディスクシステム。
【請求項４】
請求項３記載の光ディスクシステムにおいて、前記第（Ｎ―１）番目の記録済みファイルの最後に連続して、誤記録、又は／若しくは、誤消去防止のための少なくとも１物理トラックからなるガードトラックを設け、前記ガードトラックにはダミー信号を記録することを特徴とする光ディスクシステム。
【発明の詳細な説明】
【技術分野】
【０００１】
本発明は光ディスク及び光ディスクの記録方法に係り、特に複数の記録補正領域を設けた光ディスクと、その記録感度補正方法、光ディスク駆動装置に関する。
【背景技術】
【０００２】
従来、光ディスクにおいては、記録膜の記録感度ばらつきや記録レーザーパワーの経時変化を補正するために、例えば特許文献１や特許文献２などに開示されているように試し書きを行なった結果に基づいて、適正な記録レーザーパワーに設定する記録感度補正方法が知られている。また、ＩＳＯ／ＩＥＣ  ＤＩＳ  １５０４１：１９９６（Ｅ）に開示されているように、光ディスクの記録領域の内側と外側に記録レーザーパワー設定のためのテスト領域を設けることも知られている。
【０００３】
しかしながら、記録データを高速で処理するために、光ディスクを高速で回転させて高速記録する場合、頻繁に記録線速度を変えて追記記録をする事が多いため、内周のテスト領域のみでは記録レーザーパワー補正のためのテストトラック数が不足する。また、内外２箇所のテスト領域で記録レーザーパワーの最適化を図り、半径位置ごとに補間データを設定しても、図１に示すディスクの複屈折に起因する外周部特性の急激な変化に対応できず、記録膜の記録感度ばらつきに充分対応できなかった。このため、既に追記型コンパクトディスク（ＣＤ−Ｒ：Compact Disc Record-able）で用いられているように、記録データ中にある最長マーク１１Ｔ信号を記録する時の戻り光レベルの変化を検出して、記録レーザーパワーを補正するＲＯＰＣ（Running Optimum Power Control）によって、適正な記録レーザーパワーを維持できるようにしている。
【０００４】
一方、ＲＯＰＣは、ＰＣＡ（Power Calibration Area）等のテスト領域でＯＰＣ（Optimum Power Control）等の試し書きを実行した結果に基づいて最適化された記録レーザーパワーを基準にして、記録中に戻り光のレベルをモニタして、その差異からフィードバックを掛けるが、データの追記の場合、テスト領域と追記記録領域が離れているため、記録媒体の記録半径位置による記録感度差が充分補正されない状態の記録レーザーパワーで記録が開始されるため、書き始めの記録信号品質が不充分な部分が発生する可能性がある。書替媒体では、パワーを再設定して上書きすることができるが、リトライのための待機時間が長くなる。ライトワンス媒体では、この領域が使えなくなるので、ファイルを別の領域に書くための余分な時間が必要になり、かつ、記録できる容量も減少する。
【０００５】
【特許文献１】特開昭５９−１９３５４４号公報
【特許文献２】特開昭６３−０２８８２７号公報
【発明の開示】
【発明が解決しようとする課題】
【０００６】
記録ファイルを記録する領域において、記録膜の記録感度ばらつきや記録レーザーパワーの経時変化及び複数の光ディスク及び複数の光ディスク駆動装置で記録する場合の互換性を含めて、リトライを伴うエラー無しに記録ファイルを記録するための記録感度補正方法が必要になる。
【０００７】
本発明は以上の点に鑑みてなされたもので、記録感度補正方法を提供することを目的とする。
【課題を解決するための手段】
【０００８】
ディスクアットワンスによる一筆書きでは、内周のテスト領域におけるＯＰＣによる最適パワー設定とＲＯＰＣによる最適パワーレベルの維持が可能であるが、パケットライトやマルチセッションによる記録ファイルの追記においては、上述の問題が発生する。本発明では、記録ファイルの追記において、記録レーザーパワー設定不良による再生不能領域及びデータの再記録のためのリトライを無くすことが目的である。
【０００９】
上記の目的を達成するため、本発明では、ユーザーデータ領域内の特定の記録済みファイルとこれにリンキングして記録する追記ファイルの間に複数のエラー訂正ブロックから構成される領域を記録レーザーパワー補正領域として使うことにある。これにより、有効記録容量は減少するが、全体の記録容量と比べても１％以下であり、本発明を用いない場合の記録不良ファイル容量に比べると無視できほど僅かである。
【００１０】
例えば、ＤＶＤ−ＲＷ（Digital Versatile Disc Re-writable）の規格書であるＳｔａｎｄａｒｄ  ＥＣＭＡ-３３８の３９ページから４１ページの「24 Linking scheme」（以下、単にリンキングという）に示されている「Linking sector」（以下、リンキングセクタという）を含むエラー訂正ブロック（以下、ＥＣＣブロックという）或いはこの前のＥＣＣブロックは「Linking Loss Area」（以下、リンキングロス領域という）として、物理アドレス（セクターＩＤ）、ＳＹＮＣやエラー検出コード（以下、ＥＤＣという）以外は記録データではないオール“００ｈ”のダミー信号が８／１６変調して記録される。“００ｈ”のダミー信号は、隣接トラックへのクロストークや信号振幅変動が規格書にある特性仕様から逸脱しない範囲で変動しても、これらの光ディスクシステムに支障は起こさない。このため、パケットライトで第（Ｎ−１）番目の記録済みファイルに第（Ｎ）番目のファイルを連続して追記する際、リンキングセクタを含む最初のＥＣＣブロックＥＣＣ（０）（以下、記録ファイルがｐ個のＥＥＣブロックで構成される場合、第ｉ番目のＥＣＣブロックをＥＣＣ（ｉ）で表し、ｉは０から（ｐ−１）の値を取る）で記録済みの第（Ｎ−１）番目の記録ファイルの最終ＥＣＣブロックＥＣＣ（ｎ−１）にリンキングして、ＥＣＣ（ｎ―１）と同じ記録レーザーパワーＰｏで記録し、以下、ＥＣＣ（１）では、記録レーザーパワー（Ｐｏ＋ΔＰ）、ＥＣＣ（２）では記録レーザーパワー（Ｐｏ―ΔＰ）で記録し、最後の「Padding sectors」（以下、パッディングセクタという）を含むＥＣＣ（３）では記録レーザーパワーＰｏで記録する。ここで、ΔＰは、使用する光ディスクシステムの記録線速度における記録レーザーパワーマージン、すなわち、ＰＩエラー、アシンメトリ、ジッタ−などの値が規格値から外れる時の記録レーザーパワーの上限Ｐmax.と記録レーザーパワーの下限Ｐmin.の差の半分（Ｐmax.―Ｐmin.）／２以下の値で与えられ、内周ＰＣＡでのＯＰＣ操作等によって求められる値である。次に、前記レーザパワー補正領域を再生し、適正な記録レーザーパワーを設定し、次のｋ個のＥＣＣブロックで構成される第（Ｎ）番目の記録ファイル先頭のリンキングセクタを含むＥＣＣ（０）'でリンキングを行ない、若しくはリンキングセクタのみでリンキングを行ない、次のＥＣＣ（１）'以降に記録ファイルを記録する。第（Ｎ−１）番目の記録ファイルの最終ＥＣＣブロックと第（Ｎ）番目の記録ファイルの先頭ＥＣＣブロックに物理的な（物理セクターとして）連続性はなくなるが、ユーザー情報管理領域に物理セクターと論理セクターの相関テーブルを設けて記録することで、ファイルとしての連続性は維持されるので、問題無い。このように、追記記録する位置の直前で記録レーザーパワー補正ができるので、半径位置の違いによる感度差が殆どなく、エラーの発生しない記録レーザーパワー補正が可能になる。また、全てのリンキングエリアに設ける必要はなく、所定のＥＣＣブロック数を設定しておき、この値を超えた場合に実行すれば充分であり、複数回のＯＰＣ操作で内周ＰＣＡを使い切った場合でも、記録特性の悪い外周ＰＣＡを使う必要がなくなる。
【００１１】
一方、試し書きによって、既に記録されたファイルが存在する隣接トラックへのクロスライトやクロスイレーズが懸念される場合は、記録済みファイルに連続した少なくとも１トラックをガードトラックとして設けることで、対応が可能である。すなわち、前記記録レーザーパワー補正領域においてハイパワーのレーザーが照射された場合でも、隣接するガードトラックにあるダミー信号に対するクロスライト若しくはクロスイレーズだけなので、記録済みファイルには全く影響が出ない。
【００１２】
また、ＤＶＤ−ＲＷディスク記録時の標準線速度は毎秒４．７ｍであるが、既に標準速度の４倍速で記録でき、ＣＤ−Ｒと同様にディスクの機械的な剛性を考慮した１６倍速程度までの高速記録再生が可能であり、検討が進められている。１６倍速ディスクにおいては、用いる光ディスクシステムによっては標準速度で記録再生されることもあり、広い速度範囲で記録再生しても、リトライやバッファーアンダーランが発生しない記録再生特性が求められる。このような場合、用いる光ディスクシステムや記録位置によって、記録線速度が異なり、これに対応した最適な記録レーザーパワーは内周ＰＣＡのみで設定することは難しく、本発明のように、記録するファイルの直前の位置で記録レーザーパワーの補正を行なうことが望ましい。
【００１３】
本発明はリンキングが規定されているＤＶＤ＋ＲＷやＢｌｕＲａｙディスクにも適用でき、書替媒体のみならずライトワンス媒体であるＤＶＤ−ＲやＤＶＤ＋Ｒについても適用することができる。
【００１４】
本発明の記録感度補正方法は記録膜の種類や記録方式に限定されないが、再生不能な領域を生じないという観点から、特にライトワンス媒体に有効である。例えば、記録層に塗布型色素材料を用いた場合、記録層に用いられる色素材料は公知一般のレーザーによる良好な記録、再生に適した色素材料を用いることができ、たとえば例えば、シアニン系色素、スクアリリウム色素、アズレニウム系色素等のポリメチン系色素、フタロシアニン系色素のような大環状アザアネレン系色素、ジチオール系色素、ポルフィセン系化合物、アヌレン系化合物などの光照射により変質する有機物が挙げられる。また、かかる材料は、これらの有機材質を１又は２種以上の混合してもよい。
【００１５】
更には記録再生に用いられるレーザー光が４００ｎｍ近傍の波長である場合、ポルフィセン系化合物、アヌレン系化合物を用いることが望ましい。
【００１６】
ポルフィセン系化合物は、下記の一般式（化１）を有しており、この一般式中のＲ1 〜Ｒ4は、それぞれ独立して水素原子、ハロゲン原子、ヒドロキシル基、あるいはメチル基、エチル基、n-プロピル基、イソプロピル基、n-ブチル基、tert-ブチル基、sec-ブチル基、n-ペンチル基、n-ヘキシル基等の炭素数１〜２０の直鎖または分岐のアルキル基が挙げられる。前記一般式中のＸ1 〜Ｘ8はそれぞれ独立して水素原子；ハロゲン原子；ヒドロキシル基；ホルミル基；カルボキシル基；シアノ基；ニトロ基；アミノ基；スルホン酸基；あるいはメチル基、エチル基、n-プロピル基、イソプロピル基、n-ブチル基、tert-ブチル基、sec-ブチル基、n-ペンチル基、n-ヘキシル基等の炭素数１〜２０の直鎖または分岐のアルキル基；ビニル基、プロペニル基、ベテニル基、ペンテニル基、ヘキセニル基等の１〜２０の直鎖または分岐のアルケニル基；メトキシ基、エトキシ基、n-プロポキシ基、イソプロポキシ基、n-ブトキシ基、tert-ブトキシ基、エトキシカルボニルプロポキシ基、sec-ブトキシ基、n-ペンチルオキシ基、n-ヘキシルオキシ基、n-ヘプチルオキシ基等の置換されていてもよい炭素数１〜２０の直鎖または分岐のアルコキシ基；ヒドロキシメチル基、ヒドロキシエチル基等の炭素数１〜２０のヒドロキシアルキル基；ベンゼン環、ナフタレン環、アントラセン環、チオフェン環、フラン環、ピロール環、ピラゾール環、ピリジン環、ピラン環等の炭素数６〜１２の芳香環または複素環；カルボキシルメチル基等のカルボキシルアルキル基；メトキシカルボニル基、トリフルオロメトキシカルボニル基、エトキシカルボニル基、n-プロポキシカルボニル基、イソプロポキシカルボニル基、n-ブトキシカルボニル基、tert-ブトキシカルボニル基、sec-ブトキシカルボニル基、n-ペンチルオキシカルボニル基、n-ヘキシルオキシカルボニル基等の置換されていてもよい炭素数２〜２１の直鎖または分岐のアルコキシカルボニル基；メチルカルボニルオキシ基、エチルカルボニルオキシ基、n-プロピルカルボニルオキシ基、イソプロピルカルボニルオキシ基、n-ブチルカルボニルオキシ基、sec-ブチルカルボニルオキシ基、tert-ブチルカルボニルオキシ基、n-ペンチルカルボニルオキシ基等の置換されていてもよい炭素数２〜２１の直鎖または分岐のアルキルカルボニルオキシ基；メトキシカルボニルメチル基、メトキシカルボニルエチル基、エトキシカルボニルメチル基、エトキシカルボニルエチル基、n-プロポキシカルボニルエチル基、n-プロポキシカルボニルプロピル基、イソプロポキシカルボニルメチル基、イソプロポキシカルボニルエチル基等の炭素数３〜２２の直鎖または分岐のアルコキシカルボニルアルキル基が挙げられる。また、Ｘ1 〜Ｘ8およびＲ1〜Ｒ4 のうち隣接する置換基どうしが結合して環状を形成してもよい。前記一般式において、Ｍは２個の水素原子、Ni, Co, Cu, Zn, Pd, Pt, Fe, Mn, Sn, Mg, Rh等の２価の金属、TiO, FeCl, VO, Sn(Y)2等の３〜４価の金属誘導体およびSi(Y)2, Ge(Y)2等の誘導体（Yはハロゲン原子、アルキル基、アリール基、ヒドロキシル基、アルコキシ基、アリールオキシ基、アルキルチオ基、アリールチオ基）等のポルフィセン系化合物に配位することができる誘導体であればよいが、３００〜５００ｎｍに極大吸収をもち、モル吸光係数���大きい点で、特にNi, Zn, Co, Cuが特に好ましい。
一般式
【００１７】
【化１】
2006040328.tif 000003
【００１８】
アヌレン系化合物は下記の一般式（化２）を有しており、この一般式中のＸ1 〜Ｘ3としてはそれぞれ独立して、酸素原子、イオウ原子、セレン原子、イミノ基が挙げられる。前記一般式中のＲ1 〜Ｒ6は、それぞれ独立して水素原子；ハロゲン原子；ヒドロキシル基；カルボキシル基；メトキシカルボニル基、トリフルオロメトキシカルボニル基、エトキシカルボニル基、n-プロポキシカルボニル基、イソプロポキシカルボニル基、n-ブトキシカルボニル基、tert-ブトキシカルボニル基、sec-ブトキシカルボニル基、n-ペンチルオキシカルボニル基、n-ヘキシルオキシカルボニル基等の置換されていてもよい炭素数２〜２１の直鎖または分岐のアルコキシカルボニル基；あるいはメチル基、エチル基、n-プロピル基、イソプロピル基、n-ブチル基、tert-ブチル基、sec-ブチル基、n-ペンチル基、n-ヘキシル基等の炭素数１〜２０の直鎖または分岐のアルキル基が挙げられる。前記一般式中のＲ7 〜Ｒ12 はそれぞれ独立して水素原子；ハロゲン原子；ヒドロキシル基；ホルミル基；カルボキシル基；シアノ基；ニトロ基；アミノ基；スルホン酸基；あるいはメチル基、エチル基、n-プロピル基、イソプロピル基、n-ブチル基、tert-ブチル基、sec-ブチル基、n-ペンチル基、n-ヘキシル基等の炭素数１〜２０の直鎖または分岐のアルキル基；ビニル基、プロペニル基、ベテニル基、ペンテニル基、ヘキセニル基等の１〜２０の直鎖または分岐のアルケニル基；メトキシ基、エトキシ基、n-プロポキシ基、イソプロポキシ基、n-ブトキシ基、tert-ブトキシ基、エトキシカルボニルプロポキシ基、sec-ブトキシ基、n-ペンチルオキシ基、n-ヘキシルオキシ基、n-ヘプチルオキシ基等の置換されていてもよい炭素数１〜２０の直鎖または分岐のアルコキシ基；ヒドロキシメチル基、ヒドロキシエチル基等の炭素数１〜２０のヒドロキシアルキル基；ベンゼン環、ナフタレン環、アントラセン環、チオフェン環、フラン環、ピロール環、ピラゾール環、ピリジン環、ピラン環等の炭素数６〜１２の芳香環または複素環；カルボキシルメチル基等のカルボキシルアルキル基；メトキシカルボニル基、トリフルオロメトキシカルボニル基、エトキシカルボニル基、n-プロポキシカルボニル基、イソプロポキシカルボニル基、n-ブトキシカルボニル基、tert-ブトキシカルボニル基、sec-ブトキシカルボニル基、n-ペンチルオキシカルボニル基、n-ヘキシルオキシカルボニル基等の置換されていてもよい炭素数２〜２１の直鎖または分岐のアルコキシカルボニル基；メチルカルボニルオキシ基、エチルカルボニルオキシ基、n-プロピルカルボニルオキシ基、イソプロピルカルボニルオキシ基、n-ブチルカルボニルオキシ基、sec-ブチルカルボニルオキシ基、tert-ブチルカルボニルオキシ基、n-ペンチルカルボニルオキシ基等の置換されていてもよい炭素数２〜２１の直鎖または分岐のアルキルカルボニルオキシ基；メトキシカルボニルメチル基、メトキシカルボニルエチル基、エトキシカルボニルメチル基、エトキシカルボニルエチル基、n-プロポキシカルボニルエチル基、n-プロポキシカルボニルプロピル基、イソプロポキシカルボニルメチル基、イソプロポキシカルボニルエチル基等の炭素数３〜２２の直鎖または分岐のアルコキシカルボニルアルキル基が挙げられる。また、Ｒ1 〜Ｒ12 ���うち隣接する置換基どうしが結合して環状を形成してもよい。
一般式
【００１９】
【化２】
2006040328.tif 000004
【００２０】
これらの有機色素は透明樹脂基板上に直接あるいは他の層を介してキャスト法、スピンコート法、浸漬法等の塗布方法を好適に用い、成膜することができる。塗布溶媒としては、基板を侵さない溶媒であれば特に限定されない。例えば、ジアセトンアルコール、３−ヒドロキシ−２−ブタノン等のケトンアルコール系溶媒、メチルセロソルブ、エチルセロソルブ等のセロソルブ系溶媒、n−ヘキサン、n−ヘプタン等の炭化水素系溶媒、テトラフルオロプロパノール、オクタフルオロペンタノール、ヘキサフルオロブタノール等のパーフルオロアルキルアルコール系溶媒、シクロヘキサン、メチルシクロヘキサン、エチルシクロヘキサン、ジメチルシクロヘキサン、n−ブチルシクロヘキサン、t−ブチルシクロヘキサン、シクロオクタン等の炭化水素系溶媒、ジイソプロピルエーテル、ジブチルエーテル等のエーテル系溶媒、乳酸メチル、乳酸エチル、イソ酪酸メチル等のヒドロキシルエステル系溶媒などが挙げられる。
【００２１】
上記記録層の膜厚は、記録に用いるレーザー光などの記録光のパワーに対する記録感度性能係数を考慮して、波長、光反射層の光学定数、光吸収層の材質に応じて適宜選択される。また、本発明の主旨であるランドトラックに不可逆的な記録マークでディスク固有の識別情報を形成するためには、ランド部においても記録が可能でなければならない。しかしながらスピンコート法により形成された色素記録媒体の記録層は、塗布面からみて凹んでいるグルーブ部の色素膜厚が厚くなり、ランド部の色素膜厚が薄くなる。したがって、少なくともランド部の色素厚さはレーザー波長λに対し、λ／６ｎ以上が必要であり、そのためにランド部の記録層の膜厚が上記条件に合致するよう色素および色素を溶解する溶媒、または基板上に形成されたグルーブのＵ字溝の形状を最適化する必要がある。これに加え、記録媒体全域において記録再生特性がランド部以上に優れた記録特性を要求されるのは必須であることから、色素の光学定数ｎは１．８以上必要であり、従ってグルーブ部Ｕ字溝凹みの深さは２０ｎｍから１５０ｎｍ、望ましくは５０ｎｍから１２０ｎｍが必要である。
【００２２】
また反射層は、Ａｕ、Ａｇ、Ｃｕ、Ａｌなどの金属またはそれらを主成分とした合金から構成することができが、反射率の波長依存性や耐久性の観点から銀または銀を主成分とする合金が好ましい。成膜方法としては、真空蒸着、スパッタリングおよびイオンプレーティングなどにより成膜することができる。光反射層の膜厚は反射率および熱拡散効率等を考慮し０．０２μｍ〜０．５μｍとすることが好ましい。
【００２３】
光反射層上に形成する保護層としては、アクリル系紫外線硬化樹脂等の硬質性の材料を用いることが好ましい。これは、高温高湿下で長期間保存した場合、保護層の経時的な変形を防止できるためである。通常、光反射層上に直接または他の層を介してスピンコート法により厚み１〜２０μｍで塗布した後、紫外線照射により硬化させて形成される。また、ＤＶＤのようにダミー基板を接着する場合は、色素記録層と反射層を設けた基板の反射層とダミー基板の間をアクリル系紫外線硬化樹脂保護層で直接接着してもよい。
【００２４】
記録膜材料としては塗布型色素以外に、蒸着型色素やスパッタで形成可能な相変化記録膜を用いることも可能である。相変化記録膜のような真空中で成膜可能な記録材料の場合、記録膜の両側に耐熱誘電体保護膜が必要になるが、塗布型色素のように基板上のパターン形状に依存して埋まることがなく、レーザー波長λに対して、溝深さはλ／８からλ／６程度の光学深さである。
【発明の効果】
【００２５】
本発明によれば、ファイルを追記する際、記録済みファイルと追記ファイルの間に記録レーザパワー補正領域を設け、ユーザーデータ領域内の場所ごとの感度ばらつきや記録レーザーの経時変化による信号レベル変動を追記ファイルの記録直前の場所で補正するので、従来の記録レーザパワー補正領域が光ディスクの最内周および最外周に設けられたものに比べ、記録不良をなくすことが可能になる。
【００２６】
また、記録済みファイルに少なくとも１物理トラックのガードトラックを設けてからパワー補正を行なうことで、リンキング時のクロスイレーズを考慮する必要がなくなり、リンキングによるデータ破壊を防止することができる。
【発明を実施するための最良の形態】
【００２７】
以下に、実施例および比較例を上げて本発明をより具体的に説明するが、本発明はその要旨を越えない範囲で、以下の実施例に限定されるものではない。
【実施例１】
【００２８】
本発明で使用したライトワンス型光ディスクの構造を図２に示す。直径１２０ｍｍ、厚さ０．６ｍｍのポリカーボネート樹脂基板の表面に、トラックピッチ０．４μｍのＵ字型溝で、アドレス情報（ＩＤ）で変調したウォブル溝と、一定周期で変調した記録トラックとを予め形成した基板１１１を用意した。このＵ字型溝の溝幅は約０．２０μｍ、深さを１００ｎｍとした。この基板１１１上に形成する記録層材料として下記の一般式（化３）で示されるポルフィセン化合物系の色素０．５ｇを用い、この色素をテトラフロロプロパノール４０ｇ に溶解し、これを４０℃下で３０分間超音波分散した後、０．２μｍのフィルターでろ過した。このようにして調整された色素溶液を基板１１１上に、この液を回転数５００ｒｐｍから２０００ｒｐｍに加速しながらスピンコートし、記録層１１４を形成した。次にこの記録層１１４がコートされた基板１１１を８０℃のオーブンで３０分乾燥した後、記録層１１４の上にスパッタリング法により膜厚１００ｎｍのＡｇ合金膜を成膜し、反射層１１７を形成した。さらに、この反射層１１７の上に紫外線硬化樹脂１１９を５μｍの厚さでスピンコートし、これに紫外線を照射して硬化させて、記録層付基板を得た。さらに遅効性紫外線硬化型接着剤１２０をつけ、全く記録層を形成しない以外は同様にして得られたダミー基板１１２と接着し、光情報記録媒体とした。或いは、反射層１１７上の紫外線硬化樹脂１１９を形成せず、紫外線硬化型接着剤１２０'を用いて 直接ダミー基板１１２と接着してもよい。
一般式
【００２９】
【化３】
2006040328.tif 000005
【００３０】
本発明の実施形態について説明する。図３に本発明のフローを示す。
(1)各ＥＣＣブロックに記録されるユーザーデータはランニングＯＰＣ（ＲＯＰＣ）によって常に記録レーザーパワー補正が実施され、ｎ個のＥＣＣブロックで構成される特定の第（Ｎ−１）番目ファイルの最終ＥＣＣ（ｎ−１）に記録するユーザーデータに連続して最後部にパディングセクタとしてデータ“００ｈ”を記録してＥＣＣ（ｎ−１）を閉じる。
【００３１】
(2)次に、第（Ｎ−１）番目ファイルに追記する形で複数のＥＣＣブロックから構成される記録レーザーパワー補正ためのダミー領域ＰＣＡ（ｊ）（“ｊ”は記録済みファイルの後に設ける記録レーザーパワー補正のためのダミー領域の数である）を設定し、ＯＰＣ操作と同様に、所定範囲内で記録レーザーパワーを変えて、対応する各ＥＣＣ（ｉ）に記録し、ＰＣＡ（ｊ）にある最終ＥＣＣにパディングセクタを付与し、記録を終了する。記録後、前記ＰＣＡ（ｊ）を再生し、その半径位置での最適記録レーザーパワーＰｍを設定する。
【００３２】
(3)設定した記録レーザーパワーＰｍで、ＰＣＡ（ｊ）にリンキングして第（Ｎ）番目ファイルを記録する。第（Ｎ）番目ファイル内ではＲＯＰＣを実行することで、常に最適な記録レーザーパワーに維持される。
【００３３】
(4)第（Ｎ−１）番目ファイルと第（Ｎ）番目ファイルの論理アドレスを連続するように設定して、媒体情報管理領域の管理テーブルに記録する。
このようにして、図４に示すデータ列が記録トラック上に形成される。第（Ｎ）番目ファイルの後に、第（Ｎ＋１）番目ファイルを記録する場合、上述の(2)から(4)のステップ繰り返すことで、実際に記録する位置の直前で記録レーザーパワー補正するので、常に最適な条件で記録すること及び光ディスク全面をリトライなく記録することができ、かつ、バッファーアンダーランによる再書込みを防止ことができる。一方、記録後、長時間経過した場合や別の光ディスクシステムで記録する場合、記録するレーザーパワーやレーザービームのプロファイルが変化、或いは異なっていること、及び光ディスクの感度が変化している等、最適な条件からずれている可能性があるため、記録位置の直前で記録レーザーパワーを補正することで、最適な条件で記録できるので有効である。なお、上記操作によって記録済みファイルのデータがクロスライトやクロスイレーズされる懸念がある場合、(1)のステップにおいて、ユーザーデータに連続して少なくとも１物理トラックの長さにダミー信号を追記することで回避できる。
【００３４】
このように、記録ファイル間に記録レーザーパワーを補正するためのダミー領域を設ける。ユーザーデータ領域の記録レーザーパワー補正のためのダミー領域ＰＣＡ（ｊ）は記録レーザーパワー条件の設定数＋２個のＥＣＣブロックで構成されるので、例えば条件設定数を３とすると、ＨＤ−ＤＶＤの場合、ＥＣＣブロックは６４キロバイトであり、１回当り３２０キロバイトの容量がロスするが、全体の記録容量と比較すると無視できる量である。
【００３５】
実施例１では塗布型色素記録膜を用いた光ディスクの例を示したが、シリコン合金やＧｅＳｂＴｅ／ＣｏＯ2などのライトワンス型記録膜やＡｇＩｎＳｂＴｅ、ＧｅＳｂＴｅ、ＧｅＢｉＴｅ、ＧｅＢｉＳｂＴｅなどの書替型相変化記録膜のような真空中で成膜するスパッタ法による記録膜を用いた光ディスクでも同じ効果が得られる。
【実施例２】
【００３６】
実施例１ではＨＤ−ＤＶＤの例を示したが、実施例２では現行の記録型ＤＶＤディスクへの応用例を示す。本発明に用いるＤＶＤ-ＲＷディスク記録膜としては、ＡｇＩｎＳｂＴｅ、ＧｅＳｂＴｅ、ＧｅＢｉＴｅ、ＧｅＢｉＳｂＴｅなどの書替型相変化記録膜が挙げられる。
【００３７】
本発明で使用した書替型光ディスクの構造を図５に示す。直径１２０ｍｍ、厚さ０．６ｍｍのポリカーボネート樹脂基板１５１の表面に、トラックピッチ０．７４μｍのＵ字型溝で、アドレス情報（ＩＤ）で変調したランドプリピットを、一定周期で蛇行変調した記録トラックに隣接するランド部に形成した基板２１１を用意した。このＵ字型溝の溝幅は約０．３０μｍ、深さを３０ｎｍとした。
【００３８】
このディスク基板上に、ＺｎＳ−ＳｉＯ２からなる誘電体保護層１５３（図示せず）を８０ｎｍ、ＧｅＳｂＴｅからなる記録層１５４を１２ｎｍから１５ｎｍ、ＺｎＳ−ＳｉＯ２からなる誘電体保護層１５５（図示せず）を１５ｎｍから２０ｎｍｎｍ、ＡｌＴｉからなる反射層１５６（図示せず）を１００ｎｍをスパッタ法にて順次積層し、さらにその上に紫外線硬化型樹脂保護膜１５７を塗布、紫外線照射により保護膜を硬化後、接着剤により０．６ｍｍ厚みのダミー基板と貼り合せる。若しくは、紫外線硬化型樹脂接着剤で直接ダミー基板と貼り合せて、紫外線照射により接着剤を硬化、接着してもよい。
【００３９】
前記ディスクを用い、ベースとなる２ギガバイトの第一の情報及びベース情報の管理情報を予め内周３００００ｈから標準線速度４．７ｍ／ｓで連続記録し、最終ＥＣＣブロックに連続して１物理トラックにダミー信号として、物理アドレス情報、ＳＹＮＣ、ＥＤＣ以外は“００ｈ”データを８／１６変調して記録する。次に、図８に示す別の光ディスクシステムで、プログラムを実行して得られた５つの記録ファイルからなる１ギガバイトの第二の情報を、第一のベース情報に４倍速で追記する。前記ダミーデータはパディングセクタと同じ構造であるから、その最終セクタリンクして記録レーザーパワー補正のための領域ＰＣＡ（１）をさらに１物理トラック設け、ＯＰＣ操作を実行し、ＰＣＡ（１）の最終ＥＣＣブロックはリードインの管理情報に予め記録されている４倍速記録の標準的な記録レーザーパワーで記録する。ＣＤやＤＶＤで用いられるＯＰＣ操作については、その一例を図７に示す。このＰＣＡ（１）はダミートラックに隣接しているため、その内側トラックにある記録済みデータがクロスイレーズやクロスライトされることはない。ＯＰＣ操作を行なった前記ＰＣＡ（１）を再生して、適正な記録レーザーパワーＰｏを設定する。
【００４０】
続いて、ＰＣＡ（１）に連続して第一情報のアップデート情報である１００メガバイトの第二情報の記録ファイル（１）をＰＣＡ（１）にリンキングして記録レーザーパワーＰｏで追記する。次に、第一情報を用いてシミュレーションした結果である２００メガバイトの記録ファイル（２）を５ＥＣＣブロックから構成したＰＣＡ（２）に連続して追記する。ＰＣＡ（２）では記録ファイル（１）のＲＯＰＣで得られた最終ブロックでの記録レーザーパワーＰｏ'及びパワーマージン範囲の（Ｐｏ'＋ΔＰ）、（Ｐｏ'―ΔＰ）の３条件で試し書きを行ない、その再生結果から、適正な記録レーザーパワーとしてＰｍが得られ、記録ファイル（２）は記録レーザーパワーＰｍで記録した。以下、同様の操作によって、３００メガバイトの記録ファイル（３）、各２００メガバイトの記録ファイル（４）及び記録ファイル（５）を記録した。ここで、ＤＶＤのエラー訂正ブロックは３２キロバイトであり、ＰＣＡ（１）からＰＣＡ（５）で８００キロバイトをロスすることになるが、第二情報の容量１ギガバイトに対して０．１％以下であり無視できる値である。
【００４１】
一方、１ギガバイトの第二情報である５つの記録ファイルは全て直前位置での試し書きで得られた最適レーザーパワーＰｍを基準としてＲＯＰＣを実行しているため、常に最適な状態で記録され、リトライやバッファーアンダーランの発生はなかった。更に、記録レーザーパワー補正領域ＰＣＡ（６）において、最適記録レーザーパワーＰｍ'を設定し、１ギガバイトの第三情報を記録した場合もリトライやバッファーアンダーランは全く発生しなかった。前記第一、第二及び第三の情報が論理的に連続するように、ユーザーデータの情報管理領域のＴＯＣ（Table of Contents）に管理情報が記録される。図６に本実施例で作成したＤＶＤ−ＲＷディスクの記録レイアウトを示す。
【００４２】
上記ＤＶＤ−ＲＷディスクシステム以外でも、８倍速で記録再生できるＤＶＤ−Ｒディスクシステムに本発明を適用したが、上述のＤＶＤ−ＲＷディスクシステムと同様にリトライやバッファーアンダーランの発生はなかった。
【００４３】
しかしながら、連続して追記する記録ファイルの単位が数メガバイト以下の小さい容量であれば、半径位置の差が殆ど無く、ＰＣＡ（ｊ）を設けることによる容量ロスが無視できなくなるので、ＰＣＡ（ｊ）を設ける必要はない。
【００４４】
ここで、特殊な例として、１２８メガバイト、若しくは１４０メガバイトの８０ｍｍＣＤ−Ｒ相当の容量、或いは６５０メガバイト、若しくは７００メガバイトの１２０ｍｍＣＤ−Ｒ（またはＣＤ−ＲＷ）相当の容量で予め固定した単位で、記録ファイルを設定し、各ファイル間にリンキングするように記録レーザーパワー補正領域ＰＣＡ（ｊ）が固定位置になるように設け、パワー補正領域であることを示す識別子を各セクタの管理情報に埋めこむ、若しくはリードイン内のシステム管理領域に予め記録しておいても良い。この固定単位は、システムのアプリケーションに応じて任意に設定することができる。
【図面の簡単な説明】
【００４５】
【図１】市販ＤＶＤディスクの複屈折と主軸方位を示す一例である。
【図２】本発明における塗布型色素系光ディスクの構造を示す図である。
【図３】本発明における記録感度補正方法のフローである。
【図４】本発明実施例１における記録後のファイルレイアウト例である。
【図５】本発明における相変化型書替光ディスクの構造を示す図である。
【図６】本発明実施例２における記録後のファイルレイアウト例である。
【図７】ＣＤやＤＶＤのＯＰＣ操作の一例である。
【図８】本発明における光ディスク駆動装置の概略図である。
【符号の説明】
【００４６】
１１１    塗布型色素記録膜用基板
１１２、１５２    ダミー基板
１１４    塗布型色素記録膜
１１７、１５７    反射膜
１１９    紫外線硬化樹脂保護層
１２０、１５７    接着剤層
１５１    書替型記録膜用基板
１５３、１５５    誘電体保護膜
１５４    書替型記録膜
２００    光ディスク
２１０    管理情報領域
２１１    第一情報領域
２１２    情報領域内の記録感度補正領域ＰＣＡ（１）
２１３    第二情報領域
２１４    第三情報領域
【図１】
2006040328.tif 000006
【図２】
2006040328.tif 000007
【図３】
2006040328.tif 000008
【図４】
2006040328.tif 000009
【図５】
2006040328.tif 000010
【図６】
2006040328.tif 000011
【図７】
2006040328.tif 000012
【図８】
2006040328.tif 000013